(57)【要約】【課題】簡単な構成で、被施術者の身体を適切に効率よく、また、施術者の手技と同様に被施術者の身体を適切にマッサージすることのできるマッサージ具を提供する。【解決手段】マッサージ具１は、施術部１０と、本体部３０と、親指施術部５０と、尖端施術部６０とを備え、施術部１０は、本体部３０から互いに並列に突出した第１〜４施術部１１〜１４を備え、各施術部１１〜１４は、被施術者の身体のマッサージを行う部位に接する先端部１１ａ〜１４ａと、本体部３０から突出し先端部１１ａ〜１４ａをそれぞれ支持する支持部１１ｂ〜１４ｂとを含んでいる。各先端部１１ａ〜１４ａは、マッサージの効果が客観的に認められている者の手の指の曲げた状態の第２関節部の外側表面にそれぞれ倣った形状に成形され、かかる者の手の指の独特な形状に倣って先端部１１ａ〜１４ａの位置を結ぶ仮想線が実質的に凹曲線を描くように配置されている。【選択図】図１
0003214583.tif 000002
【実用新案登録請求の範囲】
【請求項１】
本体部と、該本体部から互いに並列に突出した複数の施術部とを備え、
前記複数の施術部は、施術者の手の人差し指、中指、薬指、小指とそれぞれ対応する第１〜４施術部のうちの３つ以上を備え、
被施術者の身体のマッサージを施術する部位に接触する前記各施術部の先端部の位置は、仮想凹曲線を規定することを特徴とするマッサージ具。
【請求項２】
本体部と、該本体部から突出した施術部とを備え、
被施術者の身体のマッサージを施術する部位に接触する前記施術部の先端部は、施術者の手の指の曲げた状態の第２関節部の外側表面に倣った形状に成形されていることを特徴とするマッサージ具。
【請求項３】
前記施術者の手は、前記マッサージの効果が客観的に認められている者の手であることを特徴とすることを特徴とする請求項１または２のいずれかに記載のマッサージ具。
【請求項４】
本体部と、該本体部から互いに並列に突出した複数の施術部とを備え、
前記各施術部の先端部の位置は、仮想凹曲線を規定することを特徴とするマッサージ具。
【請求項５】
本体部と、該本体部から突出した施術部とを備え、
前記施術部の先端部は、凹凸形状に成形されていることを特徴とするマッサージ具。
【請求項６】
前記本体部と前記施術部とにより、施術者の手の指を係合することが可能な係合部が形成されていることを特徴とする請求項１〜５のいずれか１項に記載のマッサージ具。
【請求項７】
前記本体部の前記施術部が突出する方向とは反対方向に、中央が外側に向かって凸形状となるアーチ部を成形されていることを特徴とする請求項１〜５のいずれか１項に記載のマッサージ具。
【請求項８】
前記本体部の中央に開口部が形成されていることを特徴とする請求項１〜５のいずれか１項に記載のマッサージ具。
【請求項９】
さらに、施術者の親指によって被施術者の身体のマッサージを施術する部位を押圧する親指施術部を有することを特徴とする請求項１〜５のいずれか１項に記載のマッサージ具。
【請求項１０】
さらに、被施術者の身体を局所的に押圧する尖端施術部を有することを特徴とする請求項１〜５のいずれか１項に記載のマッサージ具。
【請求項１１】
暗所で発光する蓄光素材を含むことを特徴とする請求項１〜５のいずれか１項に記載のマッサージ具。
【考案の詳細な説明】
【技術分野】
【０００１】
本考案は、施術者が手で把持して施術者自身または施術者とは別の被施術者の身体をマッサージするためのマッサージ具に関する。
【背景技術】
【０００２】
マッサージ具に関連する従来の技術として、例えば特許文献１が知られている。特許文献１には、帯板状のベース部と、該ベース部の裏面に付設した環状の手の指装着部と、ベース部の表面に突設した硬質性指圧突起とを備えた指圧器具が開示されている。そして、特許文献１には、指圧突起はベース部に並列された複数配置とされ、また、指圧突起の先端突部が球面状に形成されていることが開示されている。
【先行技術文献】
【特許文献】
【０００３】
【特許文献１】特開２００８−１８８３８２号公報
【考案の概要】
【考案が解決しようとする課題】
【０００４】
被施術者の身体のマッサージを施術する部位は、平坦であることが少ない。これに対して、上記特許文献１にあっては、複数の指圧突起がベース部の表面にそれぞれ同じ突出量で突設されていたため、マッサージを施術する部位に各指圧突起を適切に接触させることができず、指圧突起のなかには被施術者の身体のマッサージを施術する部位に対して部分的に強く圧迫するものや、逆に接触しないものが発生していた。そのため、被施術者が苦痛を感じたり、被施術者の身体の部位を効果的にマッサージできないという問題や、効率よく被施術者の身体の部位をマッサージすることができないという問題があった。
【０００５】
また、上記特許文献１にあっては、指圧突起の先端突部が球面状に形成されていることから、施術者が被施術者の身体へのマッサージの施術を手技で行うことにより与える効果を、被施術者に与えることができないという問題があった。
【０００６】
本考案は、上述した問題に鑑みてなされたもので、簡単な構成で、施術者の手技と同様に被施術者の身体を適切に効率よくマッサージすることができるマッサージ具を提供することを目的とする。
【課題を解決するための手段】
【０００７】
請求項１のマッサージ具に係る考案は、上記目的を達成するため、本体部と、該本体部から互いに並列に突出した複数の施術部とを備え、前記複数の施術部は、施術者の手の人差し指、中指、薬指、小指とそれぞれ対応する第１〜４施術部のうちの３つ以上を備え、被施術者の身体のマッサージを施術する部位に接触する前記各施術部の先端部の位置は、仮想凹曲線を規定することを特徴とする。
請求項２のマッサージ具に係る考案は、上記目的を達成するため、本体部と、該本体部から突出した施術部とを備え、被施術者の身体のマッサージを施術する部位に接触する前記施術部の先端部は、施術者の手の指の曲げた状態の第２関節部の外側表面に倣った形状に成形されていることを特徴とする。
請求項３のマッサージ具に係る考案は、上記目的を達成するため、請求項１または２のいずれかに記載の考案において、前記施術者の手は、前記マッサージの効果が客観的に認められている者の手であることを特徴とすることを特徴とする。
請求項４のマッサージ具に係る考案は、上記目的を達成するため、本体部と、該本体部から互いに並列に突出した複数の施術部とを備え、前記各施術部の先端部の位置は、仮想凹曲線を規定することを特徴とする。
請求項５のマッサージ具に係る考案は、上記目的を達成するため、本体部と、該本体部から突出した施術部とを備え、前記施術部の先端部は、凹凸形状に成形されていることを特徴とする。
請求項６のマッサージ具に係る考案は、上記目的を達成するため、請求項１〜５のいずれか１項に記載の考案において、前記本体部と前記施術部とにより、施術者の手の指を係合することが可能な係合部が形成されていることを特徴とする。
請求項７のマッサージ具に係る考案は、上記目的を達成するため、請求項１〜５のいずれか１項に記載の考案において、前記本体部の前記施術部が突出する方向とは反対方向に、中央が外側に向かって凸形状となるアーチ部を成形されていることを特徴とする。
請求項８のマッサージ具に係る考案は、上記目的を達成するため、請求項１〜５のいずれか１項に記載の考案において、前記本体部の中央に開口部が形成されていることを特徴とする。
請求項９のマッサージ具に係る考案は、上記目的を達成するため、請求項１〜５のいずれか１項に記載の考案において、さらに、施術者の親指によって被施術者の身体のマッサージを施術する部位を押圧する親指施術部を有することを特徴とする。
請求項１０のマッサージ具に係る考案は、上記目的を達成するため、請求項１〜５のいずれか１項に記載の考案において、さらに、被施術者の身体を局所的に押圧する尖端施術部を有することを特徴とする。
請求項１１のマッサージ具に係る考案は、上記目的を達成するため、請求項１〜５のいずれか１項に記載の考案において、暗所で発光する蓄光素材を含むことを特徴とする。
【０００８】
請求項１の考案では、施術者の人差し指、中指、薬指、小指と対応する第１〜４施術部のうちの３つ以上を備えた施術部が互い並列に突出して本体部に形成されている。各施術部の先端部の位置が実質的に仮想凹曲線を規定する。これにより、被施術者の身体のマッサージを施術する部位に対して各施術部の先端部が適切に接触した状態でマッサージを行うことができる。
請求項２の考案では、施術部の先端部が、施術者の手の指の曲げた状態の第２関節部の外側表面に倣った形状に成形されていることにより、かかる先端部が接触して被施術者の身体のマッサージを施術する部位に、施術者の手の指の曲げた状態の第２関節部の外側表面と同様のマッサージを施術することができる。
請求項３の考案では、請求項１または２のいずれかに記載の考案において、マッサージの効果が客観的に認められている者の手による施術と同様の適切なマッサージを被施術者の身体の部位に施術することができる。
請求項４の考案では、複数の施術部が互い並列に突出して本体部に形成されている。各施術部の先端部の位置が実質的に仮想凹曲線を規定する。これにより、被施術者の身体のマッサージを施術する部位に対して各施術部の先端部が適切に接触した状態でマッサージを行うことができる。
請求項５の考案では、施術部の凹凸形状に成形された先端部は、被施術者の身体のマッサージを施術する部位に対して適切に接触した状態でマッサージを行うことができる。
請求項６の考案では、請求項１〜５のいずれか１項に記載の考案において、施術者が指を係合部に係合することにより、確実に本体部を把持することができる。そのため、無理なく施術者が被施術者にマッサージを適切に効率よく施術することができる。
請求項７の考案では、請求項１〜５のいずれか１項に記載の考案において、本体部の施術部が突出する方向とは反対方向に、中央が外側に向かって凸形状となるアーチ部を成形されていることにより、施術者が掌で本体部を握った際に、掌の形状にアーチ部が沿うこととなり、確実かつ容易に本体部を把持しマッサージを行うことが可能となる。また、施術部が設けられている側とアーチ部が成形されている側とが逆となるようマッサージ具の本体部を持ち替えて、アーチ部により身体をマッサージすることも可能となる。
請求項８の考案では、請求項１〜５のいずれか１項に記載の考案において、本体部の中央に開口部が形成されていることにより、マッサージ具の軽量化を図ることが可能となり、したがって、施術者がマッサージ具を確実かつ容易に把持して被施術者にマッサージを適切に効率よく施術することができる。
請求項９の考案では、請求項１〜５のいずれか１項に記載の考案において、さらに、親指施術部を有することにより、施術者の親指によって被施術者の身体のマッサージを施術する部位を押圧することができる。
請求項１０の考案では、請求項１〜５のいずれか１項に記載の考案において、さらに、尖端施術部を有することにより、被施術者の身体を局所的に押圧することができる。
請求項１１の考案では、請求項１〜５のいずれか１項に記載の考案において、暗所で発光する蓄光素材を含むことにより、部屋を暗くしてもマッサージ具を視認でき、その結果、リラックスした状態でマッサージを行うことが可能となる。
【考案の効果】
【０００９】
本考案によれば、簡単な構成で、施術者の手技と同様に被施術者の身体を適切に効率よくマッサージすることができる。
【図面の簡単な説明】
【００１０】
【図１】本考案のマッサージ具の実施の一形態を示す正面図（ａ）と背面図（ｂ）である。
【図２】図１の左側面図（ａ）と右側面図（ｂ）である。
【図３】図１の平面図（ａ）と底面図（ｂ）である。
【図４】図１の斜視図である。
【図５】本考案のマッサージ具の使用の一形態として、施術者が右手でマッサージ具を把持した状態（ａ）と、左手でマッサージ具を把持した状態（ｂ）を示した図である。
【図６】本考案のマッサージ具の施術部と、施術者の手の指の曲げた状態の各第２関節部との対応を説明するために示した図である。
【図７】施術者が人差し指、中指、薬指、小指を曲げて各第２関節部によりマッサージを行う状態を説明するために示した図である。
【考案を実施するための形態】
【００１１】
本考案のマッサージ具の実施の一形態を図に基づいて詳細に説明する。本考案のマッサージ具は、施術者が施術者自身の身体にマッサージを行うことができ、また、施術者が他人である被施術者にマッサージを行うこともできる。本考案のマッサージ具により被施術者に施術するマッサージの内容には、被施術者の身体のマッサージを施術する部位を押圧したり、擦ったり撫でたり、揉んだり、あるいはこれらの運動を複合させて、筋肉をほぐしたり経絡に沿って存在するツボに局所的に刺激を与え、また、被施術者の身体の骨の回りにたまった老廃物や脂肪を潰すよう作用させることを含むことができる。
【００１２】
上述したマッサージの内容は、所謂カリスママッサージ師と呼ばれる、施術の経験が長く、施術の効果が広く一般の人々に高く評価されている施術者によって行われることが望ましい。本実施の形態に係るマッサージ具１には、上述したカリスママッサージ師（以下、特定の施術者という。）が手技によって施術するときの手の指の独特な形状が反映されている。
【００１３】
図１は、本実施の形態におけるマッサージ具１の正面図（ａ）と、背面図（ｂ）を示したものであり、図２は、図１の左側面図（ａ）と右側面図（ｂ）を示したものであり、図３は図１の平面図（ａ）と底面図（ｂ）を示したものであり、図４は図１〜３に示した本実施の形態におけるマッサージ具１の斜視図である。本実施の形態におけるマッサージ具１は、施術部１０と、本体部３０と、親指施術部５０と、尖端施術部６０とが一体に成形されている。マッサージ具１は、全体が硬質の素材で成形されており、特に限定されることはないが、たとえば合成樹脂、金属、木材などを採用することができる。
【００１４】
施術部１０は、図１の（ａ）、（ｂ）に示すように、互いに独立した第１〜４施術部１１〜１４を備えており、各施術部１１〜１４は、本体部３０から突出するよう形成され、身体のマッサージを行う部分に接する先端部１１ａ〜１４ａと、先端部１１ａ〜１４ａをそれぞれ支持する支持部１１ｂ〜１４ｂとを含んでいる。
【００１５】
図６および図７に、特定の施術者が手技により他人である被施術者にマッサージを行う際の手の指の状態の一例を示す。
図７は、施術者が他人である被施術者の脚部を手技によりマッサージする場合を示したものである。施術者は、人差し指、中指、薬指、小指の各第２関節部を曲げて、その外側表面（各指における手の甲側の表面）を被施術者の身体に当接させ、各第２関節部の外側表面でマッサージする部分を押圧したり、擦ったり撫でたり、揉んだり、あるいはこれらの運動を複合させて、筋肉をほぐしたり経絡に沿って存在するツボに局所的に刺激を与え、また、被施術者の身体の骨の回りにたまった老廃物や脂肪を潰すようにして解毒させるマッサージを施術する。このとき、図６および図７に示すように、施術者の人差し指、中指、薬指、小指の各第２関節部は、手首からの同じ距離で一直線に並ぶ位置に配列されることはなく、被施術者のマッサージを行う部分の表面の曲線、および／または、圧を加える程度に応じて、手首からのそれぞれの距離が異なっている。すなわち、図６に示すように、施術者は、その人差し指と小指の第２関節部の位置を、中指と薬指の第２関節部の位置よりも突出させている。
【００１６】
そこで、本考案のマッサージ具１は、図１に示すように、第１施術部１１の先端部１１ａを、上記特定の施術者の手の人差し指（示指または第２指ともいう）の第２関節（ＰＩＰ関節ともいう）部を曲げた状態の外側表面に倣った形状に成形し、第２施術部１２の先端部１２ａを、上記特定の施術者の手の中指（第３指ともいう）の第２関節部を曲げた状態の外側表面に倣った形状に成形し、第３施術部１３の先端部１３ａを、上記特定の施術者の手の薬指（環指または第４指ともいう）の第２関節部を曲げた状態の外側表面に倣った形状に成形し、第４施術部１４の先端部１４ａを、上記特定の施術者の手の小指（第５指ともいう）の第２関節部を曲げた状態の外側表面に倣った形状に成形している。その結果、各施術部１１〜１４の先端部１１ａ〜１４ａは、凹凸形状に成形されることとなる。
【００１７】
そして、図１および図６に示すように、第１〜４施術部１１〜１４の先端部１１ａ〜１４ａの各位置を、上記特定の施術者の手首から人差し指、中指、薬指、小指の第２関節部までの各長さおよび配列（各第２関節部が突出する位置）に倣わせて、先端部１１ａ〜１４ａの位置を結ぶ仮想線が実質的に凹曲線を描くように、第１施術部と第４施術部の先端部の位置が、第２施術部と第３施術部の先端部の位置よりも図の上方に突出させて配置されている。また、各指の付け根となる第３関節（ＭＰ関節ともいう）と第２関節との間の基節骨の長さの相違から、図２および図３の（ａ）に示すように各先端部１１ａ〜１４ａの位置は、一直線上に配列されることはなく、前後方向（図２においては左右方向、図３の（ａ）においては上下方向）にずれて配置されている。
【００１８】
このような各施術部１１〜１４の先端部１１ａ〜１４ａの形状および配置は、上記特定の施術者がマッサージを行う際の手（握りこぶし）を型取りし、所謂３Ｄプリンターで施術者の手を再現したものをベースに、特定の施術者がその手の第２関節部の外側表面で被施術者に施術するマッサージの上記内容に応じて、実際の特定の施術者の手の関節の角度や形に近づけるよう微調整することにより成形することができる。各施術部１１〜１４の先端部１１ａ〜１４ａは、凹凸形状に成形されている。このように施術部１０を構成することにより、上記した特定の施術者による手技と同等のマッサージを行うことができる。
【００１９】
なお、被施術者のマッサージを施術する部位の形状などに応じて、第１〜４施術部１１〜１４のうちの３つを本体部３０に形成することもできる。第１施術部１１と、第２施術部１２または第３施術部１３と、第４施術部１４とを形成した場合には、第１施術部１１と第４施術部１４の先端部１１ａ、１４ａの位置は、第２施術部１２または第３施術部１３の先端部１２ａまたは１３ａの位置よりも突出し、これらの先端部を結ぶ仮想線は実質的に凹曲線を描く。また、第１施術部１１と、第２施術部１２と、第３施術部１３とを形成した場合であっても、第１施術部１１の先端部１１ａの位置と、第３施術部１３の先端部１３ａの位置とを、第２施術部１２の先端部１２ａの位置よりも突出させることにより、あるいは、第４施術部１４と、第２施術部１２と、第３施術部１３とを形成した場合であっても、第４施術部１４の先端部１４ａの位置と、第２施術部１２の先端部１２ａの位置とを、第３施術部１３の先端部１３ａの位置よりも突出させることにより、これらの先端部を結ぶ仮想線も両端が高く中央が低くなり、実質的に凹曲線を描くこととなる。
さらに、第１施術部１１または第４施術部１４と、第２施術部１２と、第３施術部１３とを形成し、第２施術部１２の先端部１２ａと第３施術部１３の先端部１３ａの高さを実質的に同じとして、第１施術部１１または第４施術部１４の先端部１１ａまたは１４ａの位置を、第２施術部１２と第３施術部１３の先端部１２ａ、１３ａの位置よりも突出させた場合でも、これらの先端部を結ぶ仮想線は実質的に凹曲線を描くことに含まれる。
【００２０】
また、図１の（ａ）、（ｂ）に示すように、第１〜４施術部１１〜１４の支持部と本体部３０とにより、施術者が本体部３０を手の平で把持したときに、各指を係合することが可能な係合部２０が形成されている。なお、各係合部２０に対して施術者が係合させる指は、その施術者の手の大きさや、マッサージを施す姿勢などに応じて、複数の係合部２０のうちで適切な位置の係合部２０を選択することができる。
【００２１】
本実施の形態における本体部３０は、略三日月の形状に成形されており、略直線状の一側縁側に第１〜４施術部１１〜１４が互いに並列に突出して形成されている。そして、本体部３０の第１〜４施術部１１〜１４が形成された側とは反対側は、中央が第１〜４施術部１１〜１４の突出方向と反対方向に外側に向かって凸形状となるアーチ部３１が成形されている。アーチ部３１は、施術者が本体部３０を片手で把持したときに、その手の平の曲線に沿う形状とすることができる。さらに、図２に側面図で示すように、アーチ部３１の両側縁における角部３１ａは、Ｒ形状に成形されている。このように角部３１ａをＲ形状に成形することにより、アーチ部３１を被施術者の身体に当接させて擦る等によりマッサージする部分として使用することもできる。
【００２２】
さらに本体部３０の中央には、図１に示すように、開口部３２が形成されている。このように開口部３２が形成されていることにより、マッサージ具１の軽量化を図ることができる。
【００２３】
親指施術部５０は、本体部３０の一端に成形されている。図１に示すように、親指施術部５０の、本体部３０に施術部１０が形成された側の面５０ａは、上述した特定の施術者の手の親指（母指または第１指ともいう）の腹の表面形状に倣って成形されており、また、本体部３０のアーチ部３１が形成された側の面５０ｂは、上述した特定の施術者の手の親指（母指または第１指ともいう）の腹を受け得る表面形状に成形されている。親指施術部５０の一方の面５０ａを被施術者の身体に当接させ、他方の面５０ｂに施術者が親指の腹を当て押圧すると、特定の施術者の手の親指の腹で押圧するのと同等のマッサージを行うことができる。そして、親指施術部５０と第１施術部１１とにより同時にマッサージを行うこともできる。
【００２４】
尖端施術部６０は、図１に示すように、本体部３０の、親指施術部５０とは反対側の他端に成形されており、先端が尖った形状に成形されている。そして、図４に示すように、尖端施術部６０の長さ方向中間部には、ひもなどの掛止具を通すための孔６１が形成されている。尖端施術部６０の尖った先端は、被施術者の経絡上のツボを局所的に押圧することができる。
【００２５】
なお、本考案のマッサージ具は、第１〜第４施術部を有するものに限定されることはなく、第１〜第４施術部の内の３つを必要に応じて選択し成形することも含むことができる。
【００２６】
マッサージ具１は、暗所で発光する蓄光素材をその素材自体に含有または混合させるか、あるいは表面に蓄光素材を塗布することができる。この場合、部屋を暗くしてもマッサージ具１を視認でき、その結果、リラックスした状態でマッサージを行うことができる。
【００２７】
上述したように構成されたマッサージ具１は、特定の施術者の右手または左手に倣って成形することができる。マッサージ具１が特定の施術者の右手に倣って成形された場合、図５の（ａ）に示したように、実際に被施術者に対して施術する施術者が右手でかかるマッサージ具１を把持してマッサージを行うことができる。また、図５の（ｂ）に示したように、実際に被施術者に対して施術する施術者が左手でかかるマッサージ具１を把持してマッサージを行うこともできる。これとは逆に、マッサージ具１が特定の施術者の左手に倣って成形された場合、実際に被施術者に対して施術する施術者は右手と左手のいずれでもかかるマッサージ具１を把持してマッサージを行うことができる。
【符号の説明】
【００２８】
１：マッサージ具、  １０：施術部、  １１：第１施術部、  １２：第２施術部、  １３；第３施術部、  １４：第４施術部、  １１ａ〜１４ａ：先端部、  １１ｂ〜１４ｂ：支持部、  ２０、係合部、  ３０：本体部、  ３１：アーチ部、  ３２：開口部、  ５０：親指施術部、  ６０：尖端施術部
【図１】
0003214583.tif 000003
【図２】
0003214583.tif 000004
【図３】
0003214583.tif 000005
【図４】
0003214583.tif 000006
【図５】
0003214583.tif 000007
【図６】
0003214583.tif 000008
【図７】
0003214583.tif 000009